(57)【要約】従来の収縮コントロールジョイントを用いることなく大型で連続したコンクリートスラブを組み立てる方法及びシステムを提供する。システムはコンクリート注入表面に配置され、コンクリートによって覆われるように取り付けられた、グリッド状に接近配置されたクラックインデューサ（２）を含む。インデューサ（２）は、互いにコネクタ（１０）に接続されている。インデューサは、コンクリートが導入された場合に、スラブ全体のインデューサ近傍に細かいクラックを発生させるような大きさ、形状及び間隔で配置される。
2004505188.tif 000002
【特許請求の範囲】
【請求項１】
少なくとも約１００ｍ２の面積を有する大型で連続したコンクリートスラブの組立て方法であって、
コンクリート注入表面に、複数の近接配置したクラックインデューサを配置する工程と、
該表面上にコンクリートを注入し、該インデューサを完全に覆い、スラブを形成する工程と、
該コンクリートが固まるのを許容する工程とを含み、
該インデューサが、該スラブの面積に渡って該インデューサの近傍に細かいクラックが形成されるような大きさ、形状、及び間隔である方法。
【請求項２】
上記スラブが、少なくとも約５００ｍ２の表面積を有する請求項１の方法。
【請求項３】
上記表面が、準備された研磨面である請求項１の方法。
【請求項４】
上記細かいクラックが、一般に約０．５ｍｍより小さい幅である請求項１の方法。
【請求項５】
上記クラックインデューサが、実質的に互いに平行に配置された請求項１の方法。
【請求項６】
上記クラックインデューサが、グリッドとして配置された請求項１の方法。
【請求項７】
上記クラックインデューサが、間隔をおいて実質的に平行なインデューサの第１グループと、該第１グループに垂直で、間隔をおいて実質的に平行なインデューサの第２グループとを含む矩形グリッドとして配置された請求項１の方法。
【請求項８】
上記クラックインデューサが、中心距離が約８００ｍｍから約３０００ｍｍで配置された請求項１の方法。
【請求項９】
上記クラックインデューサが、中心距離が約８００ｍｍから約１０００ｍｍで配置された請求項１の方法。
【請求項１０】
上記クラックインデューサが、網状の引込線に用いられる請求項１の方法。
【請求項１１】
更に、上記コンクリートを注入するに先立って、少なくとも１のクラックインデューサを安定させる工程を含む請求項１の方法。
【請求項１２】
上記クラックインデューサが、上記インデューサを上記表面に、固定具を用いて固定して安定させられた請求項１１の方法。
【請求項１３】
上記クラックインデューサが、上記インデューサを、少なくとも１つの他のインデューサに接続することにより安定させた請求項１１の方法。
【請求項１４】
上記クラックインデューサが、コネクタで互いに接続された請求項１３の方法。
【請求項１５】
上記コネクタが、わずかに直径の違うクラックインデューサに取り付けられた請求項１４の方法。
【請求項１６】
更に、上記スラブへの注入前に、少なくとも１つ上記コネクタを、上記表面に対して保持する工程を含む請求項１４の方法。
【請求項１７】
上記コネクタが、該コネクタの上に配置されたスラブ強化部材を備えた位置に配置され、該コネクタが、バーチェアとして機能する請求項１６の方法。
【請求項１８】
上記コネクタが、上記表面に対して保持される固定手段を有する請求項１６の方法。
【請求項１９】
上記クラックインデューサが、スラブ強化部材としても機能する請求項１の方法。
【請求項２０】
上記クラックインデューサが、竹又は導管を含む請求項１９の方法。
【請求項２１】
少なくとも約１００ｍ２の面積を有する連続したコンクリートスラブ中にクラックを形成するクラックインデューサシステムであって、
コンクリート注入表面に配置され、コンクリートにより完全に覆われるように適合される近接配置された複数のクラックインデューサを含み、
該クラックインデューサが、該コンクリートが固まる時に、該スラブの領域に渡って、該インデューサの近傍に細かいクラックが形成されるような大きさ、形状、及び間隔であるクラックインデューサシステム。
【請求項２２】
上記クラックインデューサが細長い請求項２１のシステム。
【請求項２３】
上記クラックインデューサが細長く、横断面で見た場合に円形、矩形、又は三角形である請求項２１のシステム。
【請求項２４】
少なくとも上記クラックインデューサの１つが、２又はそれ以上の、積層された、又は束ねられた細長い部材を含む請求項２１のシステム。
【請求項２５】
少なくとも上記クラックインデューサの１つが、導管又は一片の竹を含む請求項２１のシステム。
【請求項２６】
上記導管がプラスチックパイプである請求項２５のシステム。
【請求項２７】
上記クラックインデューサが、実質的に互いに平行に配置された請求項２１のシステム。
【請求項２８】
上記クラックインデューサが、適当なパターンのグリッドとして配置された請求項２１のシステム。
【請求項２９】
上記クラックインデューサが、間隔をおいて実質的に平行なインデューサの第１グループと、該第１グループに垂直で、間隔をおいて実質的に平行なインデューサの第２グループとを含む矩形グリッドとして配置された請求項２１のシステム。
【請求項３０】
上記クラックインデューサが、中心距離が約８００ｍｍから約３０００ｍｍで配置された請求項２１のシステム。
【請求項３１】
上記クラックインデューサが、中心距離が約８００ｍｍから約１０００ｍｍで配置された請求項２１のシステム。
【請求項３２】
更に、上記クラックインデューサの少なくともいくつかを互いに接続するコネクタを有する請求項２１のシステム。
【請求項３３】
上記コネクタの少なくとも１つが、ボディと、該ボディから延びた少なくとも２つのアームとを含み、該アームのそれぞれが、上記クラックインデューサの端部に取り付けられた請求項２１のシステム。
【請求項３４】
上記アームのそれぞれが、わずかに直径の違うクラックインデューサに取り付けられた請求項３３のシステム。
【請求項３５】
それぞれの上記アームが、中空構造である請求項３３のシステム。
【請求項３６】
それぞれの上記アームが、該ボディから延び、上記クラックインデューサの端部に摩擦で固定される少なくとも１つのブレードにより提供される請求項３３のシステム。
【請求項３７】
それぞれの上記アームが、横断面で見た場合に、それぞれの該アームが十字形状となるように、中点で互いに交差した２つのブレードを含む請求項３６のシステム。
【請求項３８】
上記ブレードが、上記クラックインデューサへの取り付けを容易にするように先細りとなった端部を有する請求項３７のシステム。
【請求項３９】
上記コネクタが、上記ボディから放射状に延びた４つのアームを有する請求項３３のシステム。
【請求項４０】
上記コネクタが、電気的ジョイントボックス又は付属品である請求項３３のシステム。
【請求項４１】
上記コネクタが、上記表面に向って保持される固定手段を有する請求項３３のシステム。
【請求項４２】
上記固定手段が、そこを通って固定具が延びる少なくとも１つの開口を有する上記ボディにより提供される請求項４１のシステム。
【請求項４３】
上記コネクタの上記ボディが、少なくとも１つの立ち上がった壁を有し、その上部領域が強化部材を支持する請求項３３の方法。
【請求項４４】
上記コネクタが、４つの立ち上がった壁を有し、それぞれの該壁の上部領域が、強化部材と噛合うためにそこから延びた固定装置を有する請求項４３のシステム。
【請求項４５】
上記コネクタが、そこから放射状に延びた４つのアームを備えた円筒形のボディを含み、それぞれの該アームが、横断面で見た場合に、それぞれの該アームが十字形状となるように、中点で互いに交差した２つのブレードを含み、該コネクタが、該円筒形のボディを通って延びた固定具により上記表面に固定しうる請求項３３のシステム。
【請求項４６】
上記コンテナが、更に、そこから上記円筒形のボディが延びたグランドベアリングベースを含み、該ベースが、固定具がそこを通って延びることができる複数の開口を有する請求項４５のシステム。
【請求項４７】
上記コネクタが、更に、上記ベースの周囲から延びた、立ち上がった強化リップを有し、該リップが、上記アームの上記ブレードのいくつかと連続している請求項４６のシステム。
【請求項４８】
上記コネクタに含まれる上記ボディが、
そこを通って固定具が延びて該コネクタを上記表面に固定する複数の開口を有するグランドベアリングベースと、
該ベースから上方に延び、上記ボディの中央の位置で互いに交差する４つのと、
それぞれの該壁の上部から延びた固定装置であって、スラブ強化部材を保持するように取り付けられた固定装置と、
それぞれの該壁の端部と該ベースから放射状の延びたブレード形状のアームとを含む請求項３３のシステム。
【請求項４９】
上記コネクタが、防食性の、又は無腐食性の材料を含む請求項４８の方法。
【請求項５０】
上記コネクタが、プラスチック射出成形で形成された請求項３３のシステム。
【発明の詳細な説明】
【０００１】
（発明の技術分野）
本発明は、近接配置された鋳込み（キャストイン）クラックのインデューサを用いた、大型で連続したコンクリートスラブの組立て方法およびシステムに関する。
【０００２】
（発明の背景）
商業用、小売用、産業用フロアのような大型コンクリートスラブ、コンクリートの車道や歩道のような連続した舗道は、コンクリートの乾燥収縮や、収縮歪に適応させない場合には他の結果により、水和期間中に割れるであろう。収縮コントロールジョイントがない場合、一般に、設置後最初の３月以内にコンクリートスラブや舗道中でクラックが発生し、通常これらのクラックは、コンクリート中のランダムな位置に延びる。
【０００３】
コンクリートスラブや舗道中の制御不能な目に見えるクラックは、一般に、良くて醜い箇所として、悪いと破損箇所として観察者に認められる。更に、制御できないクラックは、荷重下で破損するかもしれない弱い領域であり、制御できないクラックは、多い交通量の下で広がったり崩れ落ちたりする。
【０００４】
従来の方法の、この問題を救済では、様々なタイプの収縮コントロールジョイントが用いられ、予め定められた位置での収縮に適用し制御するための、構造的な割れが形成される。これは、制御不能なクラックよりもずっと優れているが、従来のコントロールジョイントは挿入するのが高価であり、しばしば、フロアスラブや舗道中の欠陥の起点となる。
【０００５】
コントロールジョイントは、交通領域でのダメージに対して、通常は衝撃に対して弱く、スラブの端部がはずれシーラントが剥がれた場合に見苦しくなる。それらはまた歩行者にとって危険であり、コントロールジョイントのパターンの挿入にもかかわらず、いくつかのランダムなクラックがなお発生する。
【０００６】
建築業の技術者により一般に指定された多くの異なったコントロールジョイントがあり、コンクリートスラブや舗道の収縮クラックに適用される。もっとも一般的なコントロールジョイントの一つに、一旦作業員を支える程度にコンクリートを養生してから挿入するソーカット（ｓａｗ ｃｕｔ）がある。好ましいソーカットの深さは、一般にはスラブの全厚みの２５パーセントであり、その間隔は、一般には３から６メータである。そのようなジョイントはクラックを防止しないが、ソーカットの位置でクラックを制限しようとし、一般にクラックを制御して直線にする。比較的平坦な完成品を得て、かつジョイントを封止するためには、通常ソーカットは適当なエラストマの材料により充填される。
【０００７】
残念ながら、この方法は時間がかかり、ソーカットの挿入が行われた後に労働者がスラブを修正し、再びシーラントに挿入する含む。追加された時間や材料は、コンクリートスラブの準備コストに付加される。
【０００８】
他の伝統的で平凡な収縮コントロールジョイントには、ドエルジョイント（ｄｏｗｅｌ ｊｏｉｎｔ）、キージョイント（ｋｅｙｅｄ ｊｏｉｎｔ）、ツールジョイント（ｔｏｏｌｅｄ ｊｏｉｎｔ）がある。
【０００９】
米国特許６，０９２，９６０は、構造を支えるために、だぼ棒（ｄｏｗｅｌ ｂａｒ）を固定するコンクリートジョイント拘束システムに関する。コンクリートの舗道中でジョイントの剪断荷重を伝達するためにだぼ棒を使用することは公知であり、ジョイントを横切って力を伝達する手段も提供されているであろう。しかしながら、この発明は追加の時間、材料、及びジョイントを必要とする。
【００１０】
米国特許５，８５７，３０２は、壁または柱近傍のコンクリートスラブのクラックを制御する手段を提供する。この特許には、コンクリートを注入する前に、壁または柱に垂直な、外部に広がった羽根が記載されている。羽根は、コンクリートがセットされた後に形成されるソーカットの線に向いている。この発明は壁や柱近傍の直線のクラックに関するものであるが、ソーカットの形成に追加の時間や労働が必要となる。
【００１１】
（発明の目的）
本発明は、上述のような欠点を回避し又は少なくとも最小にする、大型の連続したコンクリートスラブを形成する方法及びシステムの提供を目的とする。
【００１２】
（発明の概略）
本発明の第１の態様では、大型の連続したコンクリートスラブを形成する方法であって、
コンクリート注入表面に、複数のクラックインデューサを配置する工程と、
該表面にコンクリートを注入して該インデューサを覆い、スラブを形成する工程と、
該コンクリートを凝固させる工程とを含み、
該インデューサが、スラブの領域において、上記インデューサの近傍で細かいクラックが発生するような大きさ、形状、及び間隔であるような方法を提供する。
【００１３】
発明の第２の態様では、大型の連続したコンクリートスラブ中にクラックを形成するためのクラックインデューサシステムであって、コンクリート注入表面に配置され、コンクリートに覆われるように取りつけられる、複数のクラックインデューサを含み、該インデューサが、該コンクリートの凝固時にスラブの領域において、インデューサの近傍で細かいクラックが発生するような大きさ、形状、及び間隔であるようなクラックインデューサシステムを提供する。
【００１４】
（発明の詳細な説明）
「大型の連続したコンクリートスラブ」の用語は、ここでは、通常、少なくとも約５００ｍ２の表面積を有するスラブパネルを示すのに用いられる。「大型の」は長さのみ又は長さと幅を意味し、「連続した」はコントロールジョイントの無いことを意味する。
【００１５】
「コンクリート注入表面」は、ここでは、平坦な表面、又は平坦でない表面のいずれかを示すのに用いられる。
【００１６】
スラブ作製のこの方法及びシステムは、コンクリートスラブの収縮運動を制御するのに用いられる伝統的なアプローチから離れた内容である。コントロールジョイントと増加させた強化を備えた、収縮しないスラブパネルの大きさを大きくするのと反対に、本発明では、近接配置されたクラックインデューサを導入することにより、スラブパネルの大きさを事実上低減し、規則正しく中央に近い細かいクラックを形成する。近接配置されたインデューサが、全ての収縮を分散させ、スラブの長さや幅に渡って熱収縮クラックを形成することが発見された。クラックは、コンクリートが凝固し始める瞬間に形成される。インデューサの近傍で形成された細かいクラックは、見ることが困難で、一般に、スラブの性能に対して構造的な影響を与えない。このように、連続したスラブを組み立てることができ、スラブパネルは、必要なだけ広くできる。
【００１７】
理論に縛られたくない場合、細かいクラックは、クラックインデューサの上端とスラブの表面との間にあるスラブの厚みが、隣接したインデューサ間にあるスラブの厚みより小さいという事実から得られると信じられている。インデューサの丸い上面は、不連続又は部分に分かれたパターンとして、そこからクラックが生じる広い表面を提供する。
【００１８】
形成された細かいクラックは、一般に、幅が約０．５ｍｍより小さい。
【００１９】
クラックインデューサは、好適には細長く、横断面は適当な長さ、適当な形状とすることができる。例えば、インデューサは、円形、矩形、又は三角形のような、湾曲した又は多角形の断面とすることができる。インデューサの直径及び長さは、組み立てられるスラブの大きさや目的、スラブ強化部材（例えば、鋼ファブリックや棒状強化材）が用いられるか否か、のような要因に依存して変更できる。
【００２０】
もし望むなら、クラックインデューサは、互いに積層されたまたは束ねられた、２又はそれ以上の細長い部材を含んでも良い。
【００２１】
クラックインデューサは、人為的又は自然発生的のいずれかにより好適な材料を含んでも良く、中身のある又は中空の構造としても良い。例えば、インデューサは、竹や粉砕された木材を含んでも良い。好適には、インデューサは、プラスチック材料を含んでも良い。例えばＰＶＣパイプのようなプラスチックの導管である。
【００２２】
インデューサはまた、網目状のサービス（例えば、電気の引込線）に用いることもできる。
【００２３】
クラックインデューサは、所望の結果が達成できるように好ましいアレイ状に配置することができる。例えば、互いに並行に配置したり、グリッドに配置したりできる。好適には、インデューサは、間隔をおいて実質的に平行に配置されたインデューサの第１グループと、第１グループに対して垂直で、間隔をおいて実質的に平行に配置されたインデューサの第２グループとを含む矩形グリッドとして配置される。
【００２４】
好適には、平行なクラックインデューサは、中心距離が、約８００ｍｍから３０００ｍｍの間隔で配置される。しかしながら、この間隔は、注入されるスラブのタイプ、スラブの厚み、スラブ強化部材（例えば、ファブリックや棒状強化材）が用いられるか否か、表面仕上げに依存して変えても良い。中心距離が、約８００ｍｍから１０００ｍｍの間隔を隔てたクラックインデューサは、細かいクラックや見えないほど小さいクラックを形成することができる。
【００２５】
もし、温度による十分な変動にスラブがさらされるのであれば、この方法は、拡張ジョイントを組み込む工程を含んでも良い。
【００２６】
好適には、この方法は、更にクラックインデューサを安定させて、過度の移動を防ぐ工程を含む。
【００２７】
インデューサは、固定具（例えば、スラブが地盤／路盤に注入される場合は杭（ｓｔａｋｅ）、掛け釘（ｐｅｇ）等、スラブが型枠に注入される場合はステープル（ｓｔａｐｌｅ）、つめ（ｎａｉｌ）等）で表面に固定することができる。
【００２８】
代わりに、又はこれに加えて、インデューサは、少なくとも他のいくつかのインデューサと、コネクタにより接続されて固定されても良い。
【００２９】
コネクタは、ボディと、ボディから延びた少なくとも２つのアームを含み、それぞれのアームは、クラックインデューサの端部に取りつけることができる。アームは、適当な形状や大きさにすることができる。アームは、わずかに直径の異なったクラックインデューサに取り付けることができる。好適には、各アームの摩擦によりインデューサの端部に固定されるが、アームは他の適当な方法で取り付けられても良い。
【００３０】
アームは中空構造としても良い。例えば、コネクタは、電気的なジャンクションボックス（ｊｕｎｃｔｉｏｎ ｂｏｘ）や付属品（ｆｉｔｍｅｎｔ）としても良い。ジャンクションボックス等は、この分野では公知である。
【００３１】
代わりに、各アームは、ボディから延び、クラックインデューサの端部に摩擦で固定される複数のフィンガを含んでも良い。
【００３２】
代わりに、そして好適には、各アームはボディから延び、クラックインデューサの端部に摩擦で固定される少なくとも１つのブレードを備える。１又は複数のブレードは、適当な形状、大きさ、配置とすることができる。
【００３３】
好適には、各アームは、横断面で見た場合、各アームの端部が十字形状となるように、中点で互いに交わる２つのブレードを含む。そのような配置は、わずかに異なった直径を備えたクラックインデューサを、容易に取り付けられるようにする。ブレードは、また、取付が容易となるように、先細りとなっている。
【００３４】
好適には、コネクタは、ボディから放射状に延びた４つのアームを有する。
【００３５】
ブレードは、取り付けを容易にするために、可撓性のある、又は弾力性のある材料からなるのが良い。
【００３６】
かかる方法は、更に、スラブを注入する前に、表面上の位置に、少なくとも１つのコネクタを保持する工程を含む。コネクタは、コネクタの上部に配置されたスラブ強化部材（鋼ファブリック及び／又は棒状強化具）とともに適当な位置に単に保持される。
【００３７】
代わりに、又はこれに加えて、コネクタは、表面に保持するための固定手段を有しても良い。固定手段は、つめ、スパイク、釘等がそこを通って延びる少なくとも１つの開口を有するボディにより提供される。
【００３８】
コネクタは、バーチェア（ｂａｒ ｃｈａｉｒ）として機能することができる。コネクタは、鋼ファブリック、及び／又は棒状強化具を支持する領域を有しても良い。ボディは、少なくとも１つの直立した壁を有し、かかる壁の上部の領域が支持領域となっても良い。好適には、コネクタは４つの直立した壁を有する。各壁の上部領域は、そこから延びて、スラブ強化部材に噛合う固定装置を有しても良い。
【００３９】
本発明の第１の好ましい形態では、コネクタが、そこから延びる４つのアームを備えた円筒状のボディを含み、各アームは、横断面で見た場合、各アームの端部が十字形状となるように、中点で互いに交わる２つのブレードを含む。コネクタは、円筒形のボディを通って延びる固定具により、表面に固定されても良い。例えば、ファイバ強化スラブを有するコネクタが用いられる。
【００４０】
本発明の第２の好ましい形態では、第１の好ましい形態の上記コネクタが、更に、円筒形ボディがそこから延びるグランドベアリングベース（ｇｒｏｕｎｄ−ｂｅａｒｉｎｇ ｂａｓｅ）を含み、かかるベースは、固定具（例えば、つめ、スパイク等）がそこを通って延びる複数の開口を有する。コネクタは、更に、ベースの外周を取り巻いて延びる立ち上がった強化リップを有しても良い。このリップは、アームのブレードのいくつかと連続していても良い。例えば、ファイバ強化スラブとともに用いても良い。
【００４１】
本発明の第３の好ましい形態では、コネクタは、
そこを通って固定具が延び、コネクタを表面に固定する複数の開口を有するグランドベアリングベースと、
ベースから上方に延び、ボディの中央の位置で互いに交差する４つの壁と、
各壁の上部から延び、スラブ強化部材と噛合うように取りつけられた固定装置とを含むボディと、
各壁およびベースの端部から放射状に延びたブレード形状のアームとを含む。
【００４２】
好適には、コネクタは、プラスチック材料のような防食性又は無腐食性の材料を含む。コネクタは、プラスチック射出成形により形成できる。
【００４３】
ここで使用される「含む（ｃｏｍｐｒｉｓｅ）」の用語は、言及された完成体を含むものであり、これは、文脈や用法において、かかる用語の排除的な解釈が必要とされる場合を除いて他の完成体を排除するものではない。
【００４４】
（好ましい具体例の説明）
全ての図面において、同一符号は同一部分を示す。
【００４５】
図は、長く連続したコンクリートスラブ１中でクラックを形成するための、クラックインデューサシステムを示す。このシステムは、コンクリート注入表面３に配置され、コンクリート中に封入されるように取りつけられる複数のクラックインデューサ２を含む。インデューサ２は、コンクリートが固まり始めた場合に、スラブ領域を通して、インデューサ２の近傍に微細なクラックが形成されるような大きさ、形状、及び間隔となる。
【００４６】
図１〜５は、長いクラックインデューサ２を示す。図２に示すように、インデューサ２は、横断面において、例えば、円形４、六角形５、矩形６、又は三角形７でも良い。更に、図２に示すように、インデューサ２は、積層又は束ねられた多くの細長い部材８を含んでも良い。
【００４７】
図３〜５は、本発明の特に好ましい具体例であり、クラックインデューサ２がＰＣＶパイプを含んでいる。この形態のインデューサ２は、例えば、電気の引込線のような網目状のサービスに使用することができる。
【００４８】
図２及び３は、掛け釘９等（地盤又は路盤の場合）、又はつめ等（型枠の場合）により、クラックインデューサ２が表面上に保持できることを示す。
【００４９】
図１は、クラックインデューサ２が、実質的に互いに平行となるように配置できることを示す。これは、連続した細い舗道や人道を形成する場合に要求される。図３及び４は、より広い幅のスラブ（例えば道路）を示し、インデューサ２は、矩形のグリッドとして配置することができる。グリッドは、間隔を隔てて実質的に平行なインデューサ２の第１グループと、第１グループに垂直で、間隔を隔てて実質的に平行なインデューサ２の第２グループととを含む。
【００５０】
好適には、クラックインデューサ２は、コネクタにより互いに接続される。コネクタの様々な具体例を、図４〜１１に示す。一般にコネクタは、ボディとそこから延びた４つのアームとを有する。図４及び５は、コネクタ１０の第１の具体例を示す。図６は、コネクタ２０の第２の具体例を示す。図７及び８は、コネクタ３０の第３の具体例を示す。図９〜１１は、コネクタ４０の第４の具体例を示す。好適には、コネクタ２０、３０、及び４０は、プラスチック射出成形により形成される。
【００５１】
図４及び５を参照すると、コネクタ１０は、電気的ジョイントボックスである。ボックス１０は、中央の全体が円筒形のボディ１１と、かかるボディ１１から延びた４つのアーム１２とを有する。それぞれのアーム１２は中空構造で、クラックインデューサ２の端部に取りつけ可能である。ボックス１０は、バーチェアになり、鋼メッシュ１４がボックス１０の上面１３に載置される。
【００５２】
図６に示すように、コネクタ２０は円筒形のボディ２１と、かかるボディ２１から延びた４つのアーム２２とを含む。各アーム２２は、横断面から見た場合、各アーム２２の端部が十字となるように中点で互いに交わる２つのブレード２２を含む。各アーム２２はインデューサ２の端部の内部表面に摩擦で固定でき、インデューサ２が幾分伸縮することにより、やや直径の異なるインデューサ２に固定できる。ブレード２２は、端部２３において、更に取付を容易にするために先細りとなっている。
【００５３】
コネクタ２０は、円筒型のボディ２１の開口２４を通って、掛け釘、杭等を打ちこむことにより、表面の下に維持することができる。コネクタ２０は、鋼メッシュや棒の強化材が不要なファイバ強化スラブとともに用いられる。
【００５４】
図７、８に示すように、コネクタ３０は、円筒型のボディ２１がそこから延びたグランドベアリングベース３１を有することを除き、コネクタ２０に類似している。ベース３１は、つめ、スパイク等がそこを通って表面下に打ち込まれる複数の開口３２を有する。ベース３１はまた、ベース３１の周囲に沿って延びるように立ち上った強化リップ３３を有し、かかるリップ３３は、ブレード２２のいくつかと連続している。ファイバ強化スラブを用いる場合に、このようなコネクタ２２が最も多く用いられる。
【００５５】
図９〜１１に示すように、コネクタ４０は、グランドベアリングベース４１、かかるベース４１から上方に延び、ボディの中央の位置で交差する４つの壁４２、及び各壁４２の上部から延びた固定装置４３とを含むボディを有する。固定装置４３は、鋼メッシュのようなスラブ強化部材と噛合うように取りつけられ、鋼メッシュが偶然に滑り落ちないようにしている。
【００５６】
コネクタ４０はまた４つのアーム４５を有し、かかるアームのそれぞれは、横断面から見た場合に各アーム４７の端部が十字形状となるように中央で互いに交差した２つのブレード４７を含む。
【００５７】
ベース４１は、ベースの周囲から延びた、立ち上がった強化リップ４７を有する。ベース４１はまた、つめ、スパイク等がそこを通って地面に打ち込まれ、コネクタ４０を下方の表面に固定する複数の開口４６を有する。
【００５８】
各壁４２は、リップ４５の上に位置する垂直の端部壁４８を有する。端部壁４２は、夫々の固定装置４３に向って先細りとなっている。各アーム４７は、端部壁４８及びリップ４５から延びる。ブレード４７は先細りの端部４９を有し、インデューサ２への取付を容易にする。
【００５９】
使用時、クラックインデューサは、地盤／路盤の上、又は地盤／路盤を覆うプラスチック膜上に配置される。かかるインデューサは、狭いスラブ（例えば小道）に対しては図１に示すように、広いスラブ（例えば、車道や床）に対しては、図３〜５に示すように配置される。インデューサは、中心距離が８００ｍｍ〜３０００ｍｍ、好適には中心距離が８００ｍｍ〜１０００ｍｍの間隔を隔てる。インデューサの端部はコネクタに接続される。インデューサ及び／又はコネクタは、表面の下に固定されても良い。
【００６０】
もし、鋼ファブリック及び／又は棒状強化材が用いられない場合、コネクタはバーチェアの２倍でも良い。必要であれば、追加の一般的なバーチェアが用いられても良い。吊り下げられたスラブに対しては、インデューサは、上部と低部の強化部材の間に封入されるのが好ましい。
【００６１】
インデューサ、コネクタ、及び強化部材が一旦配置されたら、コンクリートが注入され固められる。スラブが、大きな温度変化にさらされる場合には、一般的な伸縮ジョイントを用いてもよい。どちらかと言えば組み立てジョイントとして知られているコールドジョイントピュアブレイク（ｃｏｌｄ ｊｏｉｎｔ ｐｏｕｒ ｂｒｅａｋ）が、処理しやすい日々の部分に構造を解体するために用いられても良い。コンクリートが固まる場合、大きなクラックが、離れた任意の中心に発生するのに対し、多くの細かいクラックはクラックインデューサの周囲に発生する。
【００６２】
クラックインデューサシステムは、コントロールジョイント無しに、地面上に直接注入した、実質的にいかなる大きさのコンクリートスラブをも可能とする。システムの構成要素は迅速かつ容易に挿入でき、この結果、小売用、商業用及び産業用の目的に対してスラブの建造、メンテナンスが十分に安価となる。
【００６３】
小売用、商業用及び軽工業用開発のための、地盤上の従来のスラブは、形成され又は切断された、両方向の中心距離が５〜１５ｍのコントロールジョイントを含む。中心が増加した場合、通常、強化材も増加する。
【００６４】
地盤上の従来のスラブの考え方は、コントロールジョイントがすべての収縮や温度収縮歪に順応し、強化メッシュが、各スラブパネル内でクラック幅を限定するものである。従って、コントロールジョイントの間隔が大きくなるほど、各ジョイントにおいて適用しなければいけない動きが大きくなる。代わりとして、非常に強化された連続した舗道やポストテンション（ｐｏｓｔ−ｔｅｎｓｉｏｎ）スラブがある。コストの増加が正当化できる場合には、これらの双方はコントロールジョイントの使用を減らすのに用いられるが、通常は、これらは、小売用、商業用及び軽工業用フロアスラブには使用されない。それらのシステムには、特別な細部が必要となり、組立て中に誤りが発生する余地が大きい。また、そのようなスラブの末端において起きる大きな動きに適用するために、しばしば問題が発生する。
【００６５】
発明者は、クラックインデューサシステムで、反対の方向に動いた。コントロールジョイントの間隔を大きくし、発生しうる動きを大きくする代わりに、発明者は、発生した一定間隔を隔てた細かいクラックを有するジョイントに置き換えた。大きなスラブパネルのクラック制御のために強化を増すよりも、発明者はそれを減らした。大きなスラブパネルの、拘束のない収縮を提供するよりむしろ、発明者はスラブ全体に拘束を導入し、接近した中心でのクラックの導入を援助した。
【００６６】
このシステムは、クラックインデューサ上で、近接した髪の毛状のクラックを導入する広いコンセプトに関し、かかるクラックはスラブの構造的性能には影響を与えない。髪の毛状のクラックは、表面処理を必要とせず、もし正しく導入された場合には、表面の完成に逆に影響を与えず、一般に審美的には全く問題がない。更に、全ての続いて横たえられたフロア完成品の接着媒体中で、歪の蓄積は最小であり、完成品中でコントロールジョイントは折り曲げられない。
【００６７】
重要なのは、コンクリートが固まり始める時からクラックが導入されることである。クラックインデューサの均一な間隔、スラブの均一性、及びその強化とともに、これにより、意図する位置にのみクラックが発生するようになる。例えば、従来の鋸ジョイントでは、最初の曲がりくねったクラックが、ソーカットが導入される前にしばしば発生する。
【００６８】
従来のシステムではまた、路盤（例えば、砂に埋められた層）からの束縛を最小にするための測定を行うことが普通であるが、これに比較して本システムでは、特別な測定が、規則的な中心でクラックが発生するのを確実にするのを助ける、路盤の摩擦や全体の収縮制限を増加させるために行われても良い。
【００６９】
コネクタは、強化をサポートするために２倍にしても良い。強化用の鋼メッシュが、単にコネクタ上に配置され、伝統的なバーチェアの必要性が除去される。コネクタは、強化メッシュに非常に安定したサポートとなり、これにより、コンクリート配置中に、メッシュの重さはコネクタとクラックインデューサを適当な位置に保持するのに十分である。
【００７０】
スラブ構造の特別な例を、以下に記載する。クラックインデューサシステムが、コントロールジョイント無しで、スーパーマーケット用の４，０４２メーター四方のフロア領域に使用される。スラブは、１２５ｍｍの厚みであり、約３０ｍｍの上面カバーを備えたＦ６２メッシュを用いて強化された。クラックインデューサのグリッドは、スラブの領域に渡って、狭い間隔で細かいクラックを発生させるのに使用された。クラックインデューサのグリッドは、直径３３ｍｍのＰＶＣパイプで、両方向の中心距離が１ｍであり、パイプの直径は、スラブの厚みの約２５％である。クラックインデューサを接続するために、４方向のコネクタが用いられ、コンクリート注入表面の上７０ｍｍに表面が設けられ、強化メッシュを支持する。スラブは、取引領域、涼しい部屋、食物準備領域、貯蔵領域を含むスーパーマーケットの全領域に延ばされる。
【００７１】
地盤上にスラブを組み立てるためのシステムの特徴のいくつかを、以下に要約する。
シーラントとともに、形成され、切断された全てのコントロールジョイントが不要となる。
強化の必要性が少なくなる。
クラックインデューサ／コネクタのグリッドを挿入するための、熟練労働者が不要となる。
組み立て中、提供中に破損し損傷したエッジを有する、形成され切断されたコントロールジョイントがない。
細かいクラックの非常に近接したパターンが、苦労無く、小さな地面の動きに適用させるためのスラブの能力を最大にする。
コーナーにおいてスラブパネルがカールするリスクが最小で、一般にはリスクが無い。
スラブの大きな連続した領域が、１のコンクリート注入で配置でき、その限界は、一般に、コンクリートを配置し完成させる工事人の能力である。
注入ブレイク（ｐｏｕｒ ｂｒｅａｋ）におけるコンストラクションジョイントは、最小の影響で、短時間に挿入できる。
適用された完成品中で、折り曲げられるコントロールジョイントは無い。
従来の機械が使用できる。
【００７２】
上述のおのおのにより製造することで、組み立て時間及びコストを十分に低減できる。
【００７３】
本発明の示された例により上記特徴が得られるが、本範囲から離れることなく、当業者により多くの修正や変形が行われ、ここで述べたような発明の余地を残す。
【図面の簡単な説明】
【図１】本発明の具体例にかかる、コンクリートスラブ中に挿入されたクラックインデューサシステムの詳細な上面図である。
【図２】図１のクラックインデューサとスラブの断面図である。
【図３】本発明の具体例にかかる、クラックインデューサシステムの詳細な遠近図である。
【図４】本発明の具体例にかかる、クラックインデューサシステムの上面図である。
【図５】コンクリートスラブに挿入された、図４のクラックインデューサシステムの断面図である。
【図６】本発明の具体例にかかる、クラックインデューサシステムのコネクタの遠近図である。
【図７】本発明の具体例にかかる、クラックインデューサシステムのコネクタの遠近図である。
【図８】クラックインデューサシステムのいくつかのクラックインデューサに取り付けられた、図７に示すコネクタの詳細な平面図である。
【図９】本発明の具体例にかかる、クラックインデューサシステムのコネクタの遠近図である。
【図１０】クラックインデューサシステムのいくつかのクラックインデューサに取り付けられた、図９に示すコネクタの詳細な平面図である。
【図１１】図１０のコネクタの詳細な側面図である。
【符号の説明】
２　クラックインデューサ、１０　コネクタ、１１　ボディ、１２　アーム、１４　鋼メッシュ。
【国際公開パンフレット】
2004505188.tif 000003
2004505188.tif 000004
2004505188.tif 000005
2004505188.tif 000006
2004505188.tif 000007
2004505188.tif 000008
2004505188.tif 000009
2004505188.tif 000010
2004505188.tif 000011
2004505188.tif 000012
2004505188.tif 000013
2004505188.tif 000014
2004505188.tif 000015
2004505188.tif 000016
2004505188.tif 000017
2004505188.tif 000018
2004505188.tif 000019
2004505188.tif 000020
2004505188.tif 000021
2004505188.tif 000022
2004505188.tif 000023
2004505188.tif 000024
2004505188.tif 000025
2004505188.tif 000026
2004505188.tif 000027
2004505188.tif 000028
2004505188.tif 000029
【手続補正書】
【提出日】平成14年5月29日(2002.5.29)
【手続補正１】
【補正対象書類名】明細書
【補正対象項目名】特許請求の範囲
【補正方法】変更
【補正の内容】
【特許請求の範囲】
【請求項１】
大型で連続したコンクリートスラブの組立て方法であって、
コンクリート注入表面に、複数の近接配置したクラックインデューサを配置する工程と、
該コンクリート注入表面上にコンクリートを注入し、該インデューサを完全に覆う工程と、
該コンクリートを凝固させてスラブを形成する工程とを含み、
該インデューサが、該スラブの領域に渡って該インデューサの近傍に細かいクラックが形成されるような大きさ、形状、及び間隔であり、
該スラブが連続した上面を有し、該上面を通って収縮コントロールジョイントを挿入して制御できないクラックを防ぐ必要が無いようにしてなる方法。
【請求項２】
上記スラブが、少なくとも約３００ｍ２の表面積を有する請求項１の方法。
【請求項３】
上記コンクリート注入表面が、準備された研磨面である請求項１の方法。
【請求項４】
上記細かいクラックが、一般に約０．５ｍｍより小さい幅である請求項１の方法。
【請求項５】
上記クラックインデューサが、実質的に互いに平行に配置された請求項１の方法。
【請求項６】
上記クラックインデューサが、グリッドとして配置された請求項１の方法。
【請求項７】
上記クラックインデューサが、間隔をおいて実質的に平行なインデューサの第１グループと、該第１グループに垂直で、間隔をおいて実質的に平行なインデューサの第２グループとを含む矩形グリッドとして配置された請求項１の方法。
【請求項８】
上記クラックインデューサが、中心距離が約８００ｍｍから約３０００ｍｍで配置された請求項１の方法。
【請求項９】
上記クラックインデューサが、中心距離が約８００ｍｍから約１０００ｍｍで配置された請求項１の方法。
【請求項１０】
上記クラックインデューサが、網状の引込線に用いられる請求項１の方法。
【請求項１１】
更に、上記コンクリートを注入するに先立って、少なくとも１のクラックインデューサを安定させる工程を含む請求項１の方法。
【請求項１２】
上記クラックインデューサが、上記インデューサを上記コンクリート注入表面に、固定具を用いて固定して安定させられた請求項１１の方法。
【請求項１３】
上記クラックインデューサが、上記インデューサを、少なくとも１つの他のインデューサに接続することにより安定させた請求項１１の方法。
【請求項１４】
上記クラックインデューサが、コネクタで互いに接続された請求項１３の方法。
【請求項１５】
上記コネクタが、わずかに直径の違うクラックインデューサに取り付けられた請求項１４の方法。
【請求項１６】
更に、上記スラブへの注入前に、少なくとも１つ上記コネクタを、上記コンクリート注入表面に対して保持する工程を含む請求項１４の方法。
【請求項１７】
上記コネクタが、該コネクタの上に配置されたスラブ強化部材を備えた位置に配置され、該コネクタが、バーチェアとして機能する請求項１６の方法。
【請求項１８】
上記コネクタが、上記コンクリート注入表面に対して保持される固定手段を有する請求項１６の方法。
【請求項１９】
上記クラックインデューサが、導管を含む請求項１の方法。
【請求項２０】
上記クラックインデューサが、竹を含む請求項１の方法。
【請求項２１】
大型で連続したコンクリートスラブ中にクラックを形成するクラックインデューサシステムであって、
コンクリート注入表面に配置され、コンクリートにより完全に覆われるように取り付けられる近接配置された複数のクラックインデューサを含み、
該クラックインデューサが、該コンクリートが凝固する時に該スラブの領域に渡って該インデューサの近傍に細かいクラックが形成されるような大きさ、形状、及び間隔であり、
該スラブが連続した上面を有し、該上面を通って収縮コントロールジョイントを挿入して制御できないクラックを防ぐ必要が無いようにしてなるシステム。
【請求項２２】
上記クラックインデューサが細長い請求項２１のシステム。
【請求項２３】
上記クラックインデューサが細長く、横断面で見た場合に円形、矩形、又は三角形である請求項２１のシステム。
【請求項２４】
少なくとも上記クラックインデューサの１つが、２又はそれ以上の、積層された、又は束ねられた細長い部材を含む請求項２１のシステム。
【請求項２５】
少なくとも上記クラックインデューサの１つが、導管又は一片の竹を含む請求項２１のシステム。
【請求項２６】
上記導管がプラスチックパイプである請求項２５のシステム。
【請求項２７】
上記クラックインデューサが、実質的に互いに平行に配置された請求項２１のシステム。
【請求項２８】
上記クラックインデューサが、適当なパターンのグリッドとして配置された請求項２１のシステム。
【請求項２９】
上記クラックインデューサが、間隔をおいて実質的に平行なインデューサの第１グループと、該第１グループに垂直で、間隔をおいて実質的に平行なインデューサの第２グループとを含む矩形グリッドとして配置された請求項２１のシステム。
【請求項３０】
上記クラックインデューサが、中心距離が約８００ｍｍから約３０００ｍｍで配置された請求項２１のシステム。
【請求項３１】
上記クラックインデューサが、中心距離が約８００ｍｍから約１０００ｍｍで配置された請求項２１のシステム。
【請求項３２】
更に、上記クラックインデューサの少なくともいくつかを互いに接続するコネクタを有する請求項２１のシステム。
【請求項３３】
上記コネクタの少なくとも１つが、ボディと、該ボディから延びた少なくとも２つのアームとを含み、該アームのそれぞれが、上記クラックインデューサの端部に取り付けられた請求項２１のシステム。
【請求項３４】
上記アームのそれぞれが、わずかに直径の違うクラックインデューサに取り付けられた請求項３３のシステム。
【請求項３５】
それぞれの上記アームが、中空構造である請求項３３のシステム。
【請求項３６】
それぞれの上記アームが、該ボディから延び、上記クラックインデューサの端部に摩擦で固定される少なくとも１つのブレードにより提供される請求項３３のシステム。
【請求項３７】
それぞれの上記アームが、横断面で見た場合に、それぞれの該アームが十字形状となるように、中点で互いに交差した２つのブレードを含む請求項３６のシステム。
【請求項３８】
上記ブレードが、上記クラックインデューサへの取り付けを容易にするように先細りとなった端部を有する請求項３７のシステム。
【請求項３９】
上記コネクタが、上記ボディから放射状に延びた４つのアームを有する請求項３３のシステム。
【請求項４０】
上記コネクタが、電気的ジョイントボックス又は付属品である請求項３３のシステム。
【請求項４１】
上記コネクタが、上記コンクリート注入表面に向って保持される固定手段を有する請求項３３のシステム。
【請求項４２】
上記固定手段が、そこを通って固定具が延びる少なくとも１つの開口を有する上記ボディにより提供される請求項４１のシステム。
【請求項４３】
上記コネクタの上記ボディが、少なくとも１つの立ち上がった壁を有し、その上部領域が強化部材を支持する請求項３３の方法。
【請求項４４】
上記コネクタが、４つの立ち上がった壁を有し、それぞれの該壁の上部領域が、強化部材と噛合うためにそこから延びた固定装置を有する請求項４３のシステム。
【請求項４５】
上記コネクタが、そこから放射状に延びた４つのアームを備えた円筒形のボディを含み、それぞれの該アームが、横断面で見た場合に、それぞれの該アームが十字形状となるように、中点で互いに交差した２つのブレードを含み、該コネクタが、該円筒形のボディを通って延びた固定具により上記表面に固定しうる請求項３３のシステム。
【請求項４６】
上記コンテナが、更に、そこから上記円筒形のボディが延びたグランドベアリングベースを含み、該ベースが、固定具がそこを通って延びることができる複数の開口を有する請求項４５のシステム。
【請求項４７】
上記コネクタが、更に、上記ベースの周囲から延びた、立ち上がった強化リップを有し、該リップが、上記アームの上記ブレードのいくつかと連続している請求項４６のシステム。
【請求項４８】
上記コネクタに含まれる上記ボディが、
そこを通って固定具が延びて該コネクタを上記表面に固定する複数の開口を有するグランドベアリングベースと、
該ベースから上方に延び、上記ボディの中央の位置で互いに交差する４つのと、
それぞれの該壁の上部から延びた固定装置であって、スラブ強化部材を保持するように取り付けられた固定装置と、
それぞれの該壁の端部と該ベースから放射状の延びたブレード形状のアームとを含む請求項３３のシステム。
【請求項４９】
上記コネクタが、防食性の、又は無腐食性の材料を含む請求項４８のシステム。
【請求項５０】
上記コネクタが、プラスチック射出成形で形成された請求項３３のシステム。
【手続補正２】
【補正対象書類名】明細書
【補正対象項目名】００１２
【補正方法】変更
【補正の内容】
【００１２】
（発明の概略）
本発明の第１の態様では、大型の連続したコンクリートスラブを形成する方法であって、
コンクリート注入表面に、複数のクラックインデューサを配置する工程と、
該コンクリート注入表面上にコンクリートを注入し、該インデューサを完全に覆う工程と、
該コンクリートを凝固させてスラブを形成する工程とを含み、
該インデューサは、該スラブの領域において、上記インデューサの近傍で細かいクラックを発生させ、該スラブが連続した上面を有し、制御できないクラックを防止するために該上面を通って収縮コントロールジョイントの挿入が不要となる大きさ、形状、及び間隔であるような方法を提供する。


【手続補正３】
【補正対象書類名】明細書
【補正対象項目名】００１３
【補正方法】変更
【補正の内容】
【００１３】
発明の第２の態様では、大型の連続したコンクリートスラブ中にクラックを形成するためのクラックインデューサシステムであって、コンクリート注入表面に配置され、完全にコンクリートで覆われるように取りつけられる、複数のクラックインデューサを含み、
該インデューサは、該コンクリートの凝固時にスラブの領域において、上記インデューサの近傍で細かいクラックを発生させ、該スラブが連続した上面を有し、制御できないクラックを防止するために該上面を通って収縮コントロールジョイントの挿入が不要となる大きさ、形状、及び間隔であるようなクラックインデューサシステムを提供する。


【手続補正４】
【補正対象書類名】明細書
【補正対象項目名】００１４
【補正方法】変更
【補正の内容】
【００１４】
（発明の詳細な説明）
「大型の連続したコンクリートスラブ」の用語は、ここでは、通常、少なくとも約５００ｍ２の表面積を有するスラブパネルを示すのに用いられる。「大型の」は長さのみ又は長さと幅を意味し、「連続した」はコントロールジョイントの無いことを意味する。しかしながら、「大型の連続したスラブ」は、例えば、約１００ｍ２、２００ｍ２、３００ｍ２、又は４００ｍ２の表面領域を有するスラブパネルを含むことができる。


【手続補正５】
【補正対象書類名】明細書
【補正対象項目名】００１５
【補正方法】変更
【補正の内容】
【００１５】
「コンクリート注入表面」は、ここでは、平坦な表面、又は平坦でない表面のいずれかを示すのに用いられる。


【手続補正６】
【補正対象書類名】明細書
【補正対象項目名】００１６
【補正方法】変更
【補正の内容】
【００１６】
スラブ作製のこの方法及びシステムは、コンクリートスラブの収縮運動を制御するのに用いられる伝統的なアプローチから離れた内容である。コントロールジョイントと増加させた強化を備えた、収縮しないスラブパネルの大きさを大きくするのと反対に、本発明では、スラブパネルを実質的に制限の無い大きさに大きくし、かつ強化を低減する。これは、近接配置されたクラックインデューサを導入し、スラブパネルに渡って細かなクラックを形成することにより達成される。近接配置されたクラックインデューサが、全ての収縮を分散させ、スラブの長さや幅に渡って熱収縮クラックを形成することが発見された。クラックは、コンクリートが凝固し始める瞬間に形成される。インデューサの近傍で形成された細かいクラックは、見ることが困難で、一般に、スラブの性能に対して構造的な影響を与えない。このように、連続したスラブを組み立てることができ、スラブパネルは、必要なだけ広くできる。




【国際調査報告】
2004505188.tif 000030
2004505188.tif 000031